(57)【要約】【課題】作業現場における組み立て作業が容易であり、かつ光ファイバケーブルを安定的に保持することができる光コネクタを提供する。【解決手段】コネクタ本体と、光ファイバケーブル１４をコネクタ本体に引き留める引留機構とを備えた光コネクタ。引留機構は、光ファイバケーブル１４を保持する光ファイバ保持体５３と、光ファイバ保持体５３を引き留め可能な引留手段とを有する。光ファイバ保持体５３は、底壁部２３とその側壁部２４と天壁部２６とによって囲まれる挿通空間２７に光ファイバケーブル１４を挿通可能である。側壁部２４内面に、ケーブル挿通方向に交差する方向に延在してケーブル側面１４ｂを押圧して保持する側面保持突起３１が形成されている。天壁部２６内面および底壁部２３内面には、それぞれ光ファイバケーブル１４の上面１４ｄおよび下面を略点状に押圧して保持する天面保持突起３３および底面保持突起３２が形成されている。【選択図】図２
2010231095.tif 000002
【特許請求の範囲】
【請求項１】
光フェルール（１）に内挿固定された内蔵光ファイバ（６）に、断面略矩形の光ファイバケーブル（１４）から引き出された外部光ファイバ（１３）を突き合わせ接続させる接続機構（２）を有するコネクタ本体（１０）と、前記光ファイバケーブルを前記コネクタ本体に引き留める引留機構（５０）と、を備え、
前記引留機構が、前記光ファイバケーブルを保持する光ファイバ保持体（５３）と、前記光ファイバ保持体を前記コネクタ本体に引き留め可能な引留手段（５４）とを有し、
前記光ファイバ保持体は、底壁部（２３）とその両側縁に設けられた側壁部（２４）と天壁部（２６）とによって囲まれる空間（２７）に前記光ファイバケーブルを挿通可能であり、
前記側壁部内面に、前記ケーブル挿通方向に交差する方向に延在して前記光ファイバケーブルの側面（１４ｂ）を押圧して保持する側面保持突起（３１）が形成され、
前記天壁部内面には、前記光ファイバケーブルの上面（１４ｄ）を略点状に押圧して保持する天面保持突起（３３）が形成され、
前記底壁部内面には、前記光ファイバケーブルの下面（１４ｅ）を略点状に押圧して保持する底面保持突起（３２）が形成されていることを特徴とする光コネクタ（６０）。
【請求項２】
一方の前記側壁部の側面保持突起と、他方の前記側壁部の側面保持突起との距離（Ｌ１）は、前記光ファイバケーブルの幅Ｗ１の最大値−０．７（ｍｍ）以上、前記幅Ｗ１の最小値−０．２（ｍｍ）以下であることを特徴とする請求項１に記載の光コネクタ。
【請求項３】
前記側面保持突起の前面（３１ａ）と後面（３１ｂ）がなす角度（Ａ１）は、５５〜８５度であることを特徴とする請求項１または２に記載の光コネクタ。
【請求項４】
前記側面保持突起は、前記ケーブル挿通方向に間隔をおいて複数形成され、
少なくとも一方の側壁部に形成された前記複数の側面保持突起のうち２つの前記ケーブル挿通方向の最大距離（Ｌ２）は、２．５ｍｍ以上であることを特徴とする請求項１〜３のうちいずれか１項に記載の光コネクタ。
【請求項５】
前記側面保持突起の先端部（３１ｃ）の前記延在方向の長さ（Ｌ３）は、前記光ファイバケーブルの高さＨ１−０．５（ｍｍ）以上であることを特徴とする請求項１〜４のうちいずれか１項に記載の光コネクタ。
【請求項６】
前記底壁部内面と、前記天面保持突起との距離（Ｌ４）は、前記光ファイバケーブルの高さＨ１の最大値−０．５（ｍｍ）以上、前記高さＨ１の最小値（ｍｍ）以下であることを特徴とする請求項１〜５のうちいずれか１項に記載の光コネクタ。
【請求項７】
前記天面保持突起は、略円錐状または略円錐台状に形成され、中心軸を通る断面における両側面がなす角度（Ａ２）は、４５〜７５度であることを特徴とする請求項１〜６のうちいずれか１項に記載の光コネクタ。
【請求項８】
前記底面保持突起の前記底壁部内面からの高さ（Ｈ２）は、０．０５〜０．２ｍｍであることを特徴とする請求項１〜７のうちいずれか１項に記載の光コネクタ。
【請求項９】
光フェルール（１）に内挿固定された内蔵光ファイバ（６）に、断面略矩形の光ファイバケーブル（１４）から引き出された外部光ファイバ（１３）を突き合わせ接続させる接続機構（２）を有するコネクタ本体（１０）と、前記光ファイバケーブルを前記コネクタ本体に引き留める引留機構（５０）と、を備えた光コネクタにおける前記光ファイバケーブルの保持に用いられ、
前記引留機構を構成する引留手段（５４）によって前記コネクタ本体に引き留め可能であり、
底壁部（２３）とその両側縁に設けられた側壁部（２４）と天壁部（２６）とによって囲まれる空間（２７）に前記光ファイバケーブルを挿通可能であり、
前記側壁部内面に、前記ケーブル挿通方向に交差する方向に延在して前記光ファイバケーブルの側面（１４ｂ）を押圧して保持する側面保持突起（３１）が形成され、
前記天壁部内面には、前記光ファイバケーブルの上面（１４ｄ）を略点状に押圧して保持する天面保持突起が形成され、
前記底壁部内面には、前記光ファイバケーブルの下面（１４ｅ）を略点状に押圧して保持する底面保持突起が形成されていることを特徴とする光ファイバ保持体（５３）。
【発明の詳細な説明】
【技術分野】
【０００１】
本発明は、現場組立型の光コネクタおよびこれに用いられる光ファイバ保持体に関し、特に光ファイバ内蔵型の光コネクタおよびこれに用いられる光ファイバ保持体に関する。
【背景技術】
【０００２】
光ファイバケーブル先端への組立作業を作業現場にて行うことができる光コネクタの一例として、光フェルールに予め内蔵光ファイバを内挿固定したものがある。この種の光コネクタでは、成端するべき光ファイバの端部を、内蔵光ファイバの端部と突き合わせ接続する（例えば、特許文献１、２を参照）。
【先行技術文献】
【特許文献】
【０００３】
【特許文献１】特開２００２−３２３６４２号公報
【特許文献２】特許第３２１０５４０号公報
【発明の概要】
【発明が解決しようとする課題】
【０００４】
この種の光コネクタにおいては、光ファイバケーブルを保持する機構が必要となるが、安定的な保持のためには保持機構の構造が複雑になり、組み立て作業に手間がかかることがあった。
本発明は、上記事情に鑑みてなされたもので、作業現場における組み立て作業が容易であり、かつ光ファイバケーブルを安定的に保持することができる光コネクタおよびこれに用いられる光ファイバ保持体を提供することを目的とする。
【課題を解決するための手段】
【０００５】
本発明の請求項１にかかる光コネクタは、光フェルールに内挿固定された内蔵光ファイバに、断面略矩形の光ファイバケーブルから引き出された外部光ファイバを突き合わせ接続させる接続機構を有するコネクタ本体と、前記光ファイバケーブルを前記コネクタ本体に引き留める引留機構と、を備え、前記引留機構が、前記光ファイバケーブルを保持する光ファイバ保持体と、前記光ファイバ保持体を前記コネクタ本体に引き留め可能な引留手段とを有し、前記光ファイバ保持体は、底壁部とその両側縁に設けられた側壁部と天壁部とによって囲まれる空間に前記光ファイバケーブルを挿通可能であり、前記側壁部内面に、前記ケーブル挿通方向に交差する方向に延在して前記光ファイバケーブルの側面を押圧して保持する側面保持突起が形成され、前記天壁部内面には、前記光ファイバケーブルの上面を略点状に押圧して保持する天面保持突起が形成され、前記底壁部内面には、前記光ファイバケーブルの下面を略点状に押圧して保持する底面保持突起が形成されている光コネクタである。
本発明の請求項２にかかる光コネクタは、請求項１において、一方の前記側壁部の側面保持突起と、他方の前記側壁部の側面保持突起との距離が、前記光ファイバケーブルの幅Ｗ１の最大値−０．７（ｍｍ）以上、前記幅Ｗ１の最小値−０．２（ｍｍ）以下である光コネクタである。
本発明の請求項３にかかる光コネクタは、請求項１または２において、前記側面保持突起の前面と後面がなす角度は、５５〜８５度である光コネクタである。
本発明の請求項４にかかる光コネクタは、請求項１〜３のうちいずれか１項において、前記側面保持突起は、前記ケーブル挿通方向に間隔をおいて複数形成され、少なくとも一方の側壁部に形成された前記複数の側面保持突起のうち２つの前記ケーブル挿通方向の最大距離が、２．５ｍｍ以上である光コネクタである。
本発明の請求項５にかかる光コネクタは、請求項１〜４のうちいずれか１項において、前記側面保持突起の先端部の前記延在方向の長さが、前記光ファイバケーブルの高さＨ１−０．５（ｍｍ）以上である光コネクタである。
本発明の請求項６にかかる光コネクタは、請求項１〜５のうちいずれか１項において、前記底壁部内面と、前記天面保持突起との距離（Ｌ４）は、前記光ファイバケーブルの高さＨ１の最大値−０．５（ｍｍ）以上、前記高さＨ１の最小値（ｍｍ）以下である光コネクタである。
本発明の請求項７にかかる光コネクタは、請求項１〜６のうちいずれか１項において、前記天面保持突起が、略円錐状または略円錐台状に形成され、中心軸を通る断面における両側面がなす角度が、４５〜７５度である光コネクタである。
本発明の請求項８にかかる光コネクタは、請求項１〜７のうちいずれか１項において、前記底面保持突起の前記底壁部内面からの高さは、０．０５〜０．２ｍｍである光コネクタである。
【０００６】
本発明の請求項９にかかる光ファイバ保持体は、光フェルールに内挿固定された内蔵光ファイバに、断面略矩形の光ファイバケーブルから引き出された外部光ファイバを突き合わせ接続させる接続機構を有するコネクタ本体と、前記光ファイバケーブルを前記コネクタ本体に引き留める引留機構と、を備えた光コネクタにおける前記光ファイバケーブルの保持に用いられ、前記引留機構を構成する引留手段によって前記コネクタ本体に引き留め可能であり、底壁部とその両側縁に設けられた側壁部と天壁部とによって囲まれる空間に前記光ファイバケーブルを挿通可能であり、前記側壁部内面に、前記ケーブル挿通方向に交差する方向に延在して前記光ファイバケーブルの側面を押圧して保持する側面保持突起が形成され、前記天壁部内面には、前記光ファイバケーブルの上面を略点状に押圧して保持する天面保持突起が形成され、前記底壁部内面には、前記光ファイバケーブルの下面を略点状に押圧して保持する底面保持突起が形成されている光ファイバ保持体である。
【発明の効果】
【０００７】
本発明によれば、光ファイバ保持体の両側壁部に側面保持突起が形成され、天壁部および底壁部にそれぞれ天面保持突起および底面保持突起が形成されているので、光ファイバケーブルを両側方および上下から各突起で挟み込むことができ、安定保持が可能となる。
光ファイバ保持体の天面保持突起および底面保持突起は、光ファイバケーブルを略点状に押圧するものであるため、押圧力が集中して作用することから、光ファイバケーブルの保持力を高めることができる。
また、天面保持突起および底面保持突起は、光ファイバケーブルを略点状に押圧するように形成されているので、圧縮変形時の弾性反発力は小さく、光ファイバ保持体を光ファイバケーブルに装着する作業は容易になる。
従って、組み立て作業性を損なうことなく、光ファイバケーブルを安定に保持することができる。
【図面の簡単な説明】
【０００８】
【図１】本発明の光コネクタの一実施形態を示す斜視図である。
【図２】光ファイバ保持体を示す斜視図である。
【図３】光ファイバ保持体を示す斜視図である。
【図４】光ファイバ保持体を示す斜視図である。
【図５】光ファイバ保持体を示す斜視図である。
【図６】光ファイバ保持体を模式化して示す平面図である。
【図７】光ファイバ保持体を模式化して示す側断面図である。
【図８】光ファイバ保持体を模式化して示す横断面図である。
【図９】本発明を適用可能な光ファイバケーブルを示す断面図である。
【図１０】光コネクタの外観を示す側面図である。
【図１１】引留カバーを示す側面図である。
【図１２】引留カバーを示す平面図である。
【図１３】光コネクタの組み立て過程を示す工程図である。
【図１４】光コネクタの組み立て過程を示す工程図である。
【図１５】本発明を適用可能な光ファイバケーブルを示す斜視図である。
【発明を実施するための形態】
【０００９】
以下、本発明の一実施形態を、図面を参照して説明する。
図１は、本発明の一実施形態である光コネクタ６０を示す分解斜視図である。図２〜図５は、光ファイバ保持体５３を示す斜視図である。図６は、光ファイバ保持体５３を模式化して示す平面図である。図７は、光ファイバ保持体５３を模式化して示す側断面図である。図８は、光ファイバ保持体５３を模式化して示す横断面図である。図９は、本発明を適用可能な光ファイバケーブル１４を示す断面図である。図１０は、光コネクタ６０の外観を示す側面図である。図１１は、引留カバー５４を示す側面図である。図１２は、引留カバー５４を示す平面図である。図１３および図１４は、光コネクタ６０の組み立て過程を示す工程図である。図１５は、光コネクタ６０を適用可能な光ファイバケーブル１４を示す斜視図である。
以下の説明において、光フェルール１の先端方向を前方といい、右方を後方ということがある。
【００１０】
図１に示すように、この光コネクタ６０は、光ファイバケーブル１４の先端に組み立てることができる。
図１５に例示するように、光ファイバケーブル１４としては断面略矩形のものが用いられる。ここに例示する光ファイバケーブル１４は、光ファイバ１３と抗張力体１８が被覆１４ａ（外被）で一括被覆されている。この光ファイバケーブル１４は、いわゆるインドアケーブルであり、光ドロップケーブルの光エレメント部に相当する。
【００１１】
この例の光ファイバケーブル１４の側面１４ｂの高さＨ１は、上面１４ｄおよび下面１４ｅ（図９参照）の幅Ｗ１より大きい。なお、高さＨ１は、幅Ｗ１より小さくてもよいし、幅Ｗ１と等しくてもよい。
光ファイバケーブル１４の側面１４ｂには、引き裂き用のノッチ１４ｃを形成することができる。
光ファイバケーブル１４から口出しされた光ファイバ１３（外部光ファイバ）は、例えば光ファイバ心線、光ファイバ素線等である。先端部１３ａは、例えば光ファイバ１３から口出しされた光ファイバ裸線である。
【００１２】
図１に示すように、光コネクタ６０は、コネクタ本体１０と、光ファイバケーブル１４をコネクタ本体１０に引き留める引留機構５０とを備えている。
図１０に示すように、コネクタ本体１０は、接続機構付きフェルール３と、接続機構付きフェルール３を収容するハウジング４と、ハウジング４内に設けられた付勢手段５と、ハウジング４の外側に装着可能なつまみ７とを備えている。
ハウジング４は、接続機構付きフェルール３を収容するスリーブ状に形成されている。
接続機構付きフェルール３は、光フェルール１（以下、単にフェルール１という）と、フェルール１の後端側に設けられた接続機構２とを備えている。
【００１３】
フェルール１には、中心軸線に沿って光ファイバ導入孔（微細孔）（図示略）が形成され、この光ファイバ導入孔内には、内蔵光ファイバ６（光ファイバ裸線など）が挿入され固定されている。内蔵光ファイバ６の先端は、フェルール１の先端面１ａに露出され、後端はフェルール１の後端から突出し、接続機構２内に挿入されている。
接続機構２は、内蔵光ファイバ６の後端部を、光ファイバ１３の先端部１３ａに突き合わせ接続するものである。符号Ｃ１は光ファイバ６、１３の接続点である。
コネクタ本体１０としては、例えばＳＣ形光コネクタが使用できる。
【００１４】
図１および図１０に示すように、引留機構５０は、本体部５１と、本体部５１に対し前後動可能に設けられた可動受け片５２と、光ファイバ１３を保持する光ファイバ保持体５３（把持部材）と、光ファイバ保持体５３を引き留める引留カバー５４（引留手段）とを備えている。
本体部５１は、前後方向に沿う長板状の底板５６と、その両側縁から立設された側板５７とを備えている（図１１参照）。
可動受け片５２は、前後方向に沿う長板状のトレー状に形成され、最後部に光ファイバ保持体５３を載置可能とされ、本体部５１の底板５６上を前後方向に沿ってスライド移動できる。
【００１５】
図１および図２に示すように、光ファイバ保持体５３は、光ファイバケーブル１４をコネクタ本体１０に引き留めるものであって、光ファイバケーブル１４を保持する保持部２１と、保持部２１から前方に延出した延出壁部２２とを有する。
図２および図３に示すように、保持部２１は、底壁部２３の両側縁に側壁部２４、２４が立設された断面コ字形の保持部本体２５と、一方の側壁部２４に回動自在に連結された天壁部２６とを有する。
底壁部２３と側壁部２４、２４と天壁部２６とによって囲まれる空間は、光ファイバケーブル１４の先端部を挿通可能な挿通空間２７であり、側壁部２４、２４の前部の内面には、光ファイバケーブル１４の被覆１４ａの前端が突き当てられるストッパ突起２８、２８が形成されている。
【００１６】
一方および他方の側壁部２４、２４の内面には、光ファイバケーブル１４の側面１４ｂを押圧して保持する側面保持突起３１、３１が形成されている。
側面保持突起３１は、前後方向（光ファイバケーブル１４の挿通方向）に対しほぼ垂直に延在する突条とされており、ほぼ全高さ範囲にわたり側面１４ｂに当接可能に形成することができる。
側面保持突起３１は、弾性的に圧縮変形した状態で光ファイバケーブル１４の側面１４ｂに当接し、その弾性力により側面１４ｂを押圧することで光ファイバケーブル１４を挟み込んで保持することができる。
なお、側面保持突起３１の延在方向は、前後方向（光ファイバケーブル１４の挿通方向）に対し垂直な方向に限らず、前後方向に対し交差する方向であればよい。
【００１７】
天壁部２６は、一方の側縁に形成されたヒンジ部２６ａを介して側壁部２４に連結されており、ヒンジ部２６ａを中心として回動することで挿通空間２７の上部開放部２７ａを開閉できる。
天壁部２６の他方の側縁には、天壁部２６にほぼ垂直な外壁部２９が形成されている。外壁部２９には、天壁部２６を閉じた状態において、側壁部２４の外面の係合突起２４ａに係合可能な凹部または開口部である係合部２９ａが形成されている。
【００１８】
図６は、光ファイバ保持体５３の保持部本体２５を模式的に示す平面図である。なお、図６〜図８は模式図であるため、各部分の構造、形状、寸法等が図１〜図５に示すものとは異なる場合がある。
図６に示すように、側面保持突起３１は断面略台形に形成することができる。図示例の側面保持突起３１は、前面３１ａと後面３１ｂが前後方向（光ファイバケーブル１４の挿通方向）に対し傾斜した傾斜面であり、先端部３１ｃは平坦に形成されている。
なお、図示例では先端部３１ｃは平坦に形成されているが、先端部を断面円弧状に形成することもできる。先端部の断面の曲率半径は例えば０．２５ｍｍ以下とすることができる。また、図２に示す例のように、側面保持突起３１は断面三角形に形成することもできる。
【００１９】
一方の側壁部２４の側面保持突起３１と、他方の側壁部２４の側面保持突起３１との距離Ｌ１（先端部間の距離）は、光ファイバケーブル１４の幅Ｗ１の最大値−０．７（ｍｍ）以上とすることで、光ファイバケーブル１４をこの挿通空間２７に押し込む作業を容易にすることができる。
距離Ｌ１は、光ファイバケーブル１４の幅Ｗ１の最小値−０．２（ｍｍ）以下とすると、側面保持突起３１が光ファイバケーブル１４を十分な力（弾性力）で押圧でき、高い保持力が得られる。
すなわち、距離Ｌ１を、光ファイバケーブル１４の幅Ｗ１の最大値−０．７（ｍｍ）以上、幅Ｗ１の最小値−０．２（ｍｍ）以下とすることによって、光コネクタ６０の組み立て作業性に悪影響を及ぼさずに、光ファイバケーブル１４を安定に保持することができる。
なお、「幅Ｗ１の最大値」とは、挿通空間２７内に位置する範囲の光ファイバケーブル１４の幅の最大値をいい、「幅Ｗ１の最小値」とは、この範囲の光ファイバケーブル１４の幅の最小値をいう。この範囲の光ファイバケーブル１４の幅Ｗ１は、通常、ほぼ一定であるため最大値と最小値はほぼ等しいが、これらがわずかに異なる場合もある。
【００２０】
側面保持突起３１の前面３１ａと後面３１ｂがなす角度Ａ１は、５５〜８５度が好ましい。角度Ａ１をこの範囲にすることによって、圧縮変形した側面保持突起３１が光ファイバケーブル１４に与える弾性力を高め、光ファイバケーブル１４を安定に保持することができる。
【００２１】
側面保持突起３１は、前後方向に間隔をおいて複数形成することができる。図示例では、側面保持突起３１は各側壁部２４、２４に３つずつ形成されており、一方の側壁部２４と他方の側壁部２４との対比において側面保持突起３１の前後方向位置はほぼ同じである。
このため、一方側の側面保持突起３１と他方側の側面保持突起３１によって光ファイバケーブル１４を挟み込んで安定に保持できる。
【００２２】
同じ側壁部２４に形成された側面保持突起３１のうち２つの前後方向の最大距離、すなわち最前方にある側面保持突起３１（符号３１Ａ）と、最後方にある側面保持突起３１（符号３１Ｂ）との距離Ｌ２は、２．５ｍｍ以上とするのが好ましい。
距離Ｌ２をこの範囲とすることによって、光ファイバケーブル１４を十分な長さ範囲にわたって保持できるため、光ファイバケーブル１４を安定に保持することができる。
側面保持突起３１Ａ、３１Ｂ間の距離Ｌ２は、２つの側壁部２４、２４のうち少なくとも一方において上記範囲とするのが好ましい。
なお、距離Ｌ２とは側面保持突起３１Ａの前後方向中央部と、側面保持突起３１Ｂの前後方向中央部との距離である。
【００２３】
図８に示すように、側面保持突起３１の先端部３１ｃの延在方向の長さＬ３は、光ファイバケーブル１４の高さＨ１−０．５（ｍｍ）以上であることが好ましい（図７および図９を参照）。長さＬ３をこの範囲とすることによって、光ファイバケーブル１４を十分な高さ範囲にわたって保持し、安定性を高めることができる。
【００２４】
図２に示すように、天壁部２６の内面（下面）には、光ファイバケーブル１４の上面１４ｄを略点状に押圧して保持する天面保持突起３３が形成されている。
天面保持突起３３は、弾性的に圧縮変形した状態で光ファイバケーブル１４の上面１４ｄに当接し、その弾性力により上面１４ｄを押圧することで光ファイバケーブル１４を保持することができる。
【００２５】
天面保持突起３３は、前後方向に間隔をおいて複数形成することができる。図２に示す例では、天面保持突起３３は２つ形成され、いずれも略円錐状とされている。これら天面保持突起３３、３３は、先端部において光ファイバケーブル１４の上面１４ｄのごく狭い範囲を（すなわち略点状に）押圧する。
天面保持突起３３、３３の幅方向位置は特に限定されないが、天壁部２６の幅方向のほぼ中央位置に形成するのが好ましい。
【００２６】
図７は、光ファイバ保持体５３を模式的に示す側断面図である。この図に示す天面保持突起３３は先端部が断面円弧状に形成された略円錐状とされている。
天面保持突起３３の幅方向位置は特に限定されないが、天壁部２６の幅方向のほぼ中央位置に形成するのが好ましい。
図７に示すように、底壁部２３内面から天面保持突起３３までの距離Ｌ４は、光ファイバケーブル１４の高さＨ１の最大値−０．５（ｍｍ）以上、高さＨ１の最小値（ｍｍ）以下であることが好ましい。
距離Ｌ４をこの範囲とすることによって、光コネクタ６０の組み立て作業性に悪影響を及ぼさずに、光ファイバケーブル１４を安定に保持することができる。
なお、「高さＨ１の最大値」とは、挿通空間２７内に位置する範囲の光ファイバケーブル１４の高さの最大値をいい、「高さＨ１の最小値」とは、この範囲の光ファイバケーブル１４の高さの最小値をいう。
【００２７】
図７および図８に示すように、略円錐状に形成された天面保持突起３３の中心軸を通る断面における両側面がなす角度Ａ２は、４５〜７５度であることが好ましい。角度Ａ２をこの範囲にすることによって、圧縮変形した天面保持突起３３が光ファイバケーブル１４に与える弾性力を高め、光ファイバケーブル１４を安定に保持することができる。
断面円弧状に形成された天面保持突起３３の先端部の断面の曲率半径は例えば０．２５ｍｍ以下とすることができる。
なお、天面保持突起３３は略円錐台状に形成することもできる。
【００２８】
図２に示すように、底壁部２３の内面（上面）には、光ファイバケーブル１４の下面１４ｅを略点状に押圧して保持する底面保持突起３２が形成されている。
底面保持突起３２は、弾性的に圧縮変形した状態で光ファイバケーブル１４の下面１４ｅに当接し、その弾性力により下面１４ｅを押圧することで光ファイバケーブル１４を保持することができる。
【００２９】
図２および図７に示すように、底面保持突起３２は略円錐状に形成することができる。
底面保持突起３２の幅方向位置は特に限定されないが、底壁部２３の幅方向のほぼ中央位置に形成するのが好ましい。
図７に示すように、底壁部２３内面からの底面保持突起３２の高さＨ２は、０．０５〜０．２ｍｍであることが好ましい。高さＨ２をこの範囲とすることによって、光コネクタ６０の組み立て作業性に悪影響を及ぼさずに、光ファイバケーブル１４を安定に保持することができる。
底面保持突起３２の中心軸を通る断面における両側面がなす角度は、５５〜８５度であることが好ましい。
なお、底面保持突起３２は略円錐台状に形成することもできる。
【００３０】
図２および図７に示すように、底面保持突起３２の数は１つとすることもできるが、前後方向に間隔をおいて複数形成することができる。図示例では、底面保持突起３２は２つ形成されている。
図２および図７に示す底面保持突起３２の前後方向位置は、天面保持突起３３の前後方向位置はほぼ同じであるため、底面保持突起３２と天面保持突起３３によって光ファイバケーブル１４を挟み込んで安定に保持できる。
延出壁部２２は、矩形の板状とされ、側壁部２４、２４の前端から前方に延出して形成されている。
【００３１】
光ファイバ保持体５３は、ポリオキシメチレン（ＰＯＭ、ポリアセタール）、ポリプロピレンなどの合成樹脂からなる一体成形品とすることができる。
光ファイバ保持体５３の構成材料の曲げ弾性率（ＪＩＳ  Ｋ７２０３に準拠）は、１２００ＭＰａ〜２７００ＭＰａが好ましい。曲げ弾性率をこの範囲にすることで、ヒンジ部２６ａを破断しにくくし、かつ光ファイバケーブル１４を把持する力を高めることができる。
【００３２】
図３〜図５に示すように、天壁部２６を開放して、光ファイバケーブル１４の先端部を上部開放部２７ａから挿通空間２７に押し込み、天壁部２６を回動させて上部開放部２７ａを閉じることによって、挿通空間２７に光ファイバケーブル１４を収容できる。
光ファイバケーブル１４は、両側方から側面保持突起３１、３１に挟み込まれるとともに、上下から天面保持突起３３および底面保持突起３２に挟み込まれるため、安定保持が可能となる。
天面保持突起３３および底面保持突起３２は光ファイバケーブル１４を略点状に押圧するものであるため、押圧力が集中して作用することから、光ファイバケーブル１４の保持力を高めることができる。
また、天面保持突起３３および底面保持突起３２は、光ファイバケーブル１４を略点状に押圧するように形成されているので、圧縮変形時の弾性反発力が過大になることはなく、光ファイバ保持体５３を光ファイバケーブル１４に装着する作業が容易になる。
従って、組み立て作業性を損なうことなく、光ファイバケーブル１４を安定に保持することができる。
【００３３】
図１１および図１２に示すように、引留カバー５４は、天板４１と、天板４１の両側縁に設けられた側板４２とを備えている。
引留カバー５４は、両側板４２の長手方向一端部に形成された軸部４３においてハウジング４に回動自在に取り付けられており、図１１〜図１４に示す開位置と図１０に示す閉位置との間で回動できる。
図１０、図１３および図１４に示すように、引留カバー５４は、光ファイバ保持体５３が最前方位置にあるときに閉位置まで回動させることで光ファイバ保持体５３を収納できる。閉位置では、引留カバー５４の長手方向他端部に形成された引留用突起４４によって、光ファイバ保持体５３の後方移動が規制される。
【００３４】
図１０に示すように、光ファイバ１３は、若干たわんだ状態となるようにその長さを設定するのが好ましい。このたわみによって、光ファイバ１３の弾性により先端部１３ａは前方に付勢されるため、先端部１３ａは十分な力で内蔵光ファイバ６に突き当てられる。
【符号の説明】
【００３５】
１・・・光フェルール、２・・・接続機構、６・・・内蔵光ファイバ、１０・・・コネクタ本体、１３・・・光ファイバ、１３ａ・・・先端部、１４・・・光ファイバケーブル、１４ｂ・・・側面、１４ｄ・・・上面、１４ｅ・・・下面、２３・・・底壁部、２４・・・側壁部、２６・・・天壁部、２７・・・挿通空間、３１・・・側面保持突起、３１ａ・・・側面保持突起の前面、３１ｂ・・・側面保持突起の後面、３１ｃ・・・側面保持突起の先端部、３２・・・底面保持突起、３３・・・天面保持突起、Ａ１・・・側面保持突起の前面と後面がなす角度、Ａ２・・・天面保持突起の両側面がなす角度、Ｈ１・・・光ファイバケーブルの高さ、Ｈ２・・・底面保持突起の底壁部内面からの高さ、Ｌ１・・・一方の側壁部の側面保持突起と、他方の側壁部の側面保持突起との距離、Ｌ２・・・複数の側面保持突起のうち２つのケーブル挿通方向の最大距離、Ｌ３・・・側面保持突起の先端部の延在方向の長さ、Ｌ４・・・天面保持突起の底壁部内面からの距離、Ｗ１・・・光ファイバケーブルの幅。５３・・・光ファイバ保持体、５４・・・引留カバー（引留手段）、５０・・・引留機構、６０・・・光コネクタ。
【図１】
2010231095.tif 000003
【図２】
2010231095.tif 000004
【図３】
2010231095.tif 000005
【図４】
2010231095.tif 000006
【図５】
2010231095.tif 000007
【図６】
2010231095.tif 000008
【図７】
2010231095.tif 000009
【図８】
2010231095.tif 000010
【図９】
2010231095.tif 000011
【図１０】
2010231095.tif 000012
【図１１】
2010231095.tif 000013
【図１２】
2010231095.tif 000014
【図１３】
2010231095.tif 000015
【図１４】
2010231095.tif 000016
【図１５】
2010231095.tif 000017